(57)【要約】【課題】吊り金具をふとん篭に係止させるときにも該ふとん篭から外すときにも、該吊り金具を支持する吊り枠と前記ふとん篭とを作業に最適な位置関係に保つことができるふとん篭用吊り上げ装置を提供する。【解決手段】ふとん篭２を吊り上げる吊り上げ装置１Ａが、前後の枠杆及び左右の枠杆１０ａ，１０ｂ，１１ａ，１１ｂにより形成された吊り枠７と、前記ふとん篭２に係止するフック８ｂを有して該吊り枠７の枠杆１０ａ，１０ｂ，１１ａ，１１ｂに上下動自在に支持された複数の吊り金具８と、前記フック８ｂをふとん篭２に係止させるか又は該ふとん篭２から離脱させる際に、前記吊り枠７から下方に突出する当接部１９が該ふとん篭２に当接して該ふとん篭２と前記吊り枠７との間隔を一定に保つ位置決め体９とを有する。【選択図】図１２
2016079616.tif 000002
【特許請求の範囲】
【請求項１】
石詰めしたふとん篭を吊り上げるための吊り上げ装置であって、
前後の枠杆及び左右の枠杆により形成された吊り枠と、
前記ふとん篭に係止するフックを有し、前記吊り枠の前後の枠杆及び左右の枠杆に上下動自在に支持された複数の吊り金具と、
前記吊り枠から下方に突出する当接部を有し、前記吊り金具のフックを前記ふとん篭に係止させるとき及び該ふとん篭から離脱させるときに、前記当接部が該ふとん篭に当接することによって該ふとん篭と前記吊り枠との間隔を一定に保つ位置決め体と、
を有することを特徴とするふとん篭用吊り上げ装置。
【請求項２】
前記吊り金具は、ばね力で上方に向けて付勢され、前記フックがふとん篭に係止していないときは待機位置に上昇して、前記フックが前記位置決め体の当接部より上方位置を占めるように構成されたことを特徴とする請求項１に記載の吊り上げ装置。
【請求項３】
前記吊り金具は、基端部を支点として上下方向に揺動自在の揺動アームの先端部に取り付けられ、該揺動アームの前記基端部は、前記枠杆にアーム支持軸によって回動自在に支持され、該揺動アームがばねで上方に向けて付勢されていることを特徴とする請求項２に記載の吊り上げ装置。
【請求項４】
前記枠杆に取り付けられた一対の軸受部材の一方と他方とに、前記アーム支持軸の一端と他端とが支持され、一方の軸受部材と前記揺動アームとの間には、前記アーム支持軸を取り巻く前記ばねが配設され、該ばねの一端は前記一方の軸受部材に係止し、該ばねの他端は前記揺動アームに係止していることを特徴とする請求項３に記載の吊り上げ装置。
【請求項５】
前記複数の吊り金具のうち少なくとも一部は、前記枠杆に沿って位置調整可能であることを特徴とする請求項１から４の何れかに記載の吊り上げ装置。
【請求項６】
前記一対の軸受部材が可動ベースに取り付けられ、該可動ベースが前記枠杆に沿って可動に取り付けられることにより、前記吊り金具が前記枠杆に沿って位置調整可能とされていることを特徴とする請求項４に従属する請求項５に記載の吊り上げ装置。
【請求項７】
前記前後の枠杆及び左右の枠杆のうち少なくとも一方は、ふとん篭の寸法に合わせて枠杆相互の間隔を調整可能であることを特徴とする請求項１から６の何れかに記載の吊り上げ装置。
【請求項８】
前記位置決め体の当接部は水平に延びていて、複数の当接部が並列状態に配設されていることを特徴とする請求項１から７の何れかに記載の吊り上げ装置。
【請求項９】
前記吊り枠の左右の枠杆は複数対あり、該複数対の左右の枠杆は、左枠杆と右枠杆との間隔が互いに異なることを特徴とする請求項１から８の何れかに記載の吊り上げ装置。
【請求項１０】
前記複数対の左右の枠杆のうち何れか一対の左右の枠杆に、前記吊り金具が、着脱自在且つ該複数対の左右の枠杆に対して選択的に取付可能なるように取り付けられていることを特徴とする請求項９に記載の吊り上げ装置。
【発明の詳細な説明】
【技術分野】
【０００１】
本発明は、内部に石詰めしたふとん篭を吊り上げて運搬場所や保管場所あるいは設置場所等に移送するために使用する、ふとん篭用吊り上げ装置に関するものである。
【背景技術】
【０００２】
護岸工事や道路工事等の各種工事に使用されるふとん篭（角形蛇篭）は、菱形金網によって四角い箱形に形成され、その内部に栗石や砕石等の石材を充填した状態で現場に設置される。近年では、工事の迅速化を図るため、ふとん篭に前記石材を充填する作業を設置現場とは別の場所で行い、石詰めされたふとん篭を現場に運搬して設置するようにしている。その際、石詰め現場で石詰めされた前記ふとん篭は、吊り上げ装置（リフタ手段）によって吊り上げられ、トラック等の車両に乗せられてそのまま設置場所に運搬されるか、保管場所に一旦移された後、そこから再び車両に乗せられて設置場所に運搬される。
【０００３】
前記吊り上げ装置として、従来、特許文献１及び特許文献２に開示されているようなものが知られている。この吊り上げ装置は、矩形の吊り枠と、該吊り枠に取り付けられた複数の吊り金具とを有していて、該吊り金具を前記ふとん篭に係止させた状態で、前記吊り枠を、ワイヤロープを介してパワーショベル等の重機で吊り上げることにより、前記ふとん篭を吊り上げるものである。吊り上げた状態で目的の場所まで移送された前記ふとん篭は、そこで降ろされ、前記吊り金具が該ふとん篭から外される。
【０００４】
ところが、前記従来の吊り上げ装置は、前記ふとん篭を吊り上げるために該ふとん篭に前記吊り金具を係止させる際や、目的の場所に移送された前記ふとん篭から前記吊り金具を外す際などに、重機で吊り下げられた状態の前記吊り枠を、前記ふとん篭に対する吊り金具の係止及び離脱を行うことができる高さに保持し、その位置で前記吊り金具の係止及び離脱を行うようにしているため、前記吊り枠の高さを目測と勘とで決めなければならない。このため、目測を誤ると、前記吊り金具の係止又は離脱が困難であったり、吊り上げるためふとん篭に係止させた吊り金具が、前記吊り枠を上昇させるとき該ふとん篭から外れたり、その逆に、降ろしたふとん篭から外した吊り金具が、前記吊り枠を上昇させるとき再びふとん篭に係止するなどの問題があり、作業性にやや難点があった。
【先行技術文献】
【特許文献】
【０００５】
【特許文献１】特開２００２−９７６１６号公報
【特許文献２】特開２００７−３１５１４２号公報
【発明の概要】
【発明が解決しようとする課題】
【０００６】
本発明の技術的課題は、吊り上げるふとん篭に吊り金具を係止させるときにも、移送したふとん篭から吊り金具を外すときにも、該吊り金具が取り付けられた吊り枠と前記ふとん篭とを作業に最適な位置関係に保つことができる、簡単で合理的な設計構造を備えたふとん篭用吊り上げ装置を提供することにある。
【課題を解決するための手段】
【０００７】
前記課題を解決するため本発明によれば、石詰めしたふとん篭を吊り上げるための吊り上げ装置であって、前後の枠杆及び左右の枠杆により形成された吊り枠と、前記ふとん篭に係止するフックを有し、前記吊り枠の前後の枠杆及び左右の枠杆に上下動自在に支持された複数の吊り金具と、前記吊り枠から下方に突出する当接部を有し、前記吊り金具のフックを前記ふとん篭に係止させるとき及び該ふとん篭から離脱させるときに前記当接部が該ふとん篭に当接することによって該ふとん篭と前記吊り枠との間隔を一定に保つ位置決め体とを有することを特徴とするふとん篭用吊り上げ装置が提供される。
【０００８】
本発明において、前記吊り金具は、ばね力で上方に向けて付勢され、前記フックがふとん篭に係止していないときは待機位置に上昇して、前記フックが前記位置決め体の当接部より上方位置を占めるように構成されていることが望ましい。
この場合、前記吊り金具は、基端部を支点として上下方向に揺動自在の揺動アームの先端部に取り付けられ、該揺動アームの前記基端部は、前記枠杆にアーム支持軸によって回動自在に支持され、該揺動アームがばねで上方に向けて付勢される。
より具体的には、前記枠杆に取り付けられた一対の軸受部材の一方と他方とに、前記アーム支持軸の一端と他端とが支持され、一方の軸受部材と前記揺動アームとの間には、前記アーム支持軸を取り巻く前記ばねが配設され、該ばねの一端は前記一方の軸受部材に係止し、該ばねの他端は前記揺動アームに係止している。
【０００９】
本発明において、前記複数の吊り金具のうち少なくとも一部は、前記枠杆に沿って位置調整可能であることが望ましい。
この場合、前記一対の軸受部材が可動ベースに取り付けられ、該可動ベースが前記枠杆に沿って可動に取り付けられることにより、前記吊り金具が前記枠杆に沿って位置調整可能とする。
【００１０】
本発明において好ましくは、前後の枠杆及び左右の枠杆のうち少なくとも一方が、ふとん篭の寸法に合わせて枠杆相互の間隔を調整可能であることである。
前記位置決め体の当接部は水平に延びていて、複数の当接部が並列状態に配設されていることが望ましい。
【００１１】
本発明の他の具体的な構成態様によれば、前記吊り枠の左右の枠杆は複数対あり、該複数対の左右の枠杆は、左枠杆と右枠杆との間隔が互いに異なっている。
この場合に、前記複数対の左右の枠杆のうち何れか一対の左右の枠杆に、前記吊り金具が、着脱自在且つ該複数対の左右の枠杆に対して選択的に取付可能なるように取り付けられていることが望ましい。
【発明の効果】
【００１２】
本発明によれば、ふとん篭を吊り上げる際に吊り金具のフックを該ふとん篭に係止させるときにも、移送したふとん篭から吊り金具を離脱させるときにも、吊り枠に形成した位置決め体が該ふとん篭に当接することによって該ふとん篭と吊り枠との間隔を作業に最適な一定の位置関係に確実に保つことができる。
【図面の簡単な説明】
【００１３】
【図１】本発明に係る吊り上げ装置の第１実施形態を示す平面図である。
【図２】図１の吊り上げ装置の正面図である。
【図３】図１の吊り上げ装置の側面図である。
【図４】図１の吊り上げ装置の要部拡大平面図で、固定式の吊り金具及び金具支持装置を示すものである。
【図５】図４の側面図である。
【図６】図４において揺動アームを中間回動位置に回動させた状態の図である。
【図７】図６の側面図である。
【図８】図４において揺動アームをふとん篭を吊り下げる吊支位置に回動させた状態の図である。
【図９】図１の吊り上げ装置側面図の要部拡大平面図で、可動式の吊り金具及び金具支持装置を、揺動アームを中間回動位置に回動させた状態で示すものである。
【図１０】図９の側面図である。
【図１１】ふとん篭を吊り上げる前の状態を示す正面図である。
【図１２】吊り枠をふとん篭の上面に当接させた状態を示す正面図である。
【図１３】揺動アームを中間回動位置に回動させて吊り金具のフックをふとん篭に係止させた状態を示す正面図である。
【図１４】吊り枠を上昇させてふとん篭を吊り上げた状態を示す正面図である。
【図１５】ふとん篭の斜視図である。
【図１６】本発明に係る吊り上げ装置の第２実施形態を示す平面図である。
【発明を実施するための形態】
【００１４】
図１−図３は本発明に係るふとん篭用吊り上げ装置の第１実施形態を示すもので、この吊り上げ装置１Ａは、図１１−図１４に示すようにして、栗石や砕石等の石材が内部に充填された菱形金網製のふとん篭２（角形蛇篭）を吊り上げるものである。
【００１５】
前記ふとん篭２は、図１５に示すように、矩形の底面網３ａ、矩形の前面網３ｂ及び後面網３ｃ、矩形の左面網３ｄ及び右面網３ｅ、矩形の上面網３ｆにより、前後長ｍより左右長ｎの方が長い長方形の箱形に形成されたもので、各面網３ａ−３ｆの外周には、針金からなる枠線４が取り付けられていて、隣接する面網の枠線４同士を螺旋状の連結線５で束ねた状態に連結することにより、前記ふとん篭２が組み立てられている。このようなふとん篭２の構成は公知であるため、これ以上の具体的な説明は省略する。
【００１６】
前記吊り上げ装置１Ａは、図１−図３から明らかなように、平面視形状が略長方形状をなす吊り枠７と、該吊り枠７に取り付けられた複数の吊り金具８と、該吊り金具８を前記ふとん篭２に対して係止又は離脱させる際に該ふとん篭２の上面に当接する複数の位置決め体９とを有している。
【００１７】
前記吊り枠７は、水平で相互に平行をなすように配設された前枠杆１０ａ及び後枠杆１０ｂと、該前枠杆１０ａ及び後枠杆１０ｂと直交し且つ相互に平行をなすように配設された水平な左枠杆１１ａ及び右枠杆１１ｂとを、溶接等の適宜接合手段で一体に連結することにより形成されている。その際、前記左枠杆１１ａ及び右枠杆１１ｂは、前記前枠杆１０ａ及び後枠杆１０ｂの端部より若干内側に寄った位置に配置され、その位置で前記前枠杆１０ａ及び後枠杆１０ｂに連結されており、前記前枠杆１０ａ及び後枠杆１０ｂと左枠杆１１ａ及び右枠杆１１ｂとで囲まれた長方形の前後長（短径）Ｍ及び左右長（長径）Ｎは、吊り上げ対象である前記ふとん篭２の前後長（短径）ｍ及び左右長（長径）ｎと同程度の大きさであるが、若干大きくても小さくても構わない。
前記前枠杆１０ａ及び後枠杆１０ｂと、前記左枠杆１１ａ及び右枠杆１１ｂとは、それぞれ溝形鋼により形成されていて、各々の溝を吊り枠７の内側に向けた姿勢で配設されている。
【００１８】
前記吊り枠７の内側の４隅には、略三角形状をした吊り基板１３が固定され、該吊り基板１３の上面に金具取付部材１４がそれぞれ固定され、この金具取付部材１４に、Ｕ字形をした掛け金具１５がピン１６で起倒自在に取り付けられている。この掛け金具１５は、ワイヤロープやチェーン等からなる吊り線条１７（図１１参照）を掛けるためのもので、この吊り線条１７を介して前記吊り枠７が、パワーショベル等の重機によって吊り上げられる。
前記吊り枠は、形状的にも重量的にも左右のバランスを保つため、長径Ｎ方向の中央に対して左右対称をなすように形成されている。
【００１９】
前記位置決め体９は、石詰めされたふとん篭２を吊り上げる際に該ふとん篭２に前記吊り金具８を係止させるとき、及び、吊り上げたふとん篭２を目的の場所に移送したあと、該ふとん篭２を降ろして前記吊り金具８を外すときに、前記ふとん篭２の上面に当接して該ふとん篭２と前記吊り枠７との間隔を作業に最適な一定の位置関係に保つもので、前記ふとん篭２の上面に当接する当接部１９ａを形成する水平な底辺部１９と、該底辺部１９の両端から斜め上向きに傾斜して延びる一対の側辺部２０とを備えた、上広がりの凹状をなす部材である。前記底辺部１９及び側辺部２０は、山形鋼で形成されている。
【００２０】
前記吊り枠７には、２つの前記位置決め体９が、前記一対の側辺部２０の上端部を、前記吊り枠７の前枠杆１０ａと後枠杆１０ｂとに固定することにより、該吊り枠７の長径Ｎ方向（左右方向）の中央に対して対称をなす位置に、該吊り枠７を短径Ｍ方向（前後方向）に横切ると共に、前記底辺部１９が該吊り枠７より下方に突出する姿勢で、相互に並行するように取り付けられている。
【００２１】
前記底辺部１９の長さＬは、前記吊り枠７の短径Ｍより短く、このため、該底辺部１９は、前記吊り枠７の内側領域内で前記ふとん篭２の上面に当接することになる。
また、前記底辺部１９が前記吊り枠７から下方に突出する高さＨは、前記吊り金具８が後述の待機位置にあるとき、前記底辺部１９の下面が該吊り金具８のフック８ｂより下方位置を占めるような高さである。
【００２２】
前記吊り金具８は、鎖状をした金具本体８ａと、該金具本体８ａの先端（下端）に取り付けられた鉤状の前記フック８ｂとで形成されていて、この吊り金具８が、前記吊り枠７の前枠杆１０ａ及び後枠杆１０ｂと左枠杆１１ａ及び右枠杆１１ｂとにそれぞれ複数個ずつ、金具支持装置２１Ａ，２１Ｂを介して取り付けられている。前記金具本体８ａは、棒状あるいはワイヤー状をしていても良い。
【００２３】
前記金具支持装置２１Ａ，２１Ｂには、固定式と可動式とがあり、図示した例では、前記前枠杆１０ａ及び後枠杆１０ｂに固定式の金具支持装置２１Ａが取り付けられ、前記左枠杆１１ａ及び右枠杆１１ｂに可動式の金具支持装置２１Ｂが取り付けられている。そこで、始めに固定式の金具支持装置２１Ａについて説明し、そのあと可動式の金具支持装置２１Ｂについて説明する。
【００２４】
前記固定式の金具支持装置２１Ａは、図４−図８から明らかなように、前記前枠杆１０ａ及び後枠杆１０ｂの縦壁部１０ｃの平らな外面に固定された左右一対の軸受部材２３ａ，２３ｂと、該一対の軸受部材２３ａ，２３ｂの一方と他方とに一端と他端とを支持された水平なアーム支持軸２４と、該アーム支持軸２４に基端部を回動自在に支持されることによって上下方向に揺動自在の揺動アーム２５とを有し、該揺動アーム２５の先端に前記吊り金具８の上端部がピン２６で回動自在に支持されている。前記アーム支持軸２４は、ボルト２４ａとナット２４ｂとにより形成されている。
【００２５】
前記揺動アーム２５は、前記一対の軸受部材２３ａ，２３ｂのうち、一方の第１軸受部材２３ａ側に偏奇した位置に配設され、他方の第２軸受部材２３ｂと該揺動アーム２５との間には、前記アーム支持軸２４を取り巻くコイル状のばね２７が配設され、該ばね２７の一端２７ａは、前記第２軸受部材２３ｂに設けられたばね止め２８に固定的に係止し、前記ばね２７の他端２７ｂは、前記揺動アーム２５に固定的に係止している。前記ばね２７には、コイル状のばねの代わりに鋏形のばねやその他のばねを用いることもできる。
【００２６】
これによって前記揺動アーム２５は、前記ばね２７のばね力によって常に上方に向けて弾性的に付勢され、前記吊り金具８でふとん篭２を吊り上げていない不使用時には上方に回動して、図５に示すように、前記第１軸受部材２３ａに形成されたストッパ２９に当接する待機位置を占め、前記吊り金具８でふとん篭２を吊り上げると、ばね力に抗して下方に回動し、図８に示すように、該揺動アーム２５と前記金具本体８ａとが上下に真っ直ぐ延びた状態に連なる吊支位置まで変位するようになっている。前記揺動アーム２５がこの吊支位置まで変位すると、前記ばね２７が捻られ、該揺動アーム２５を前記待機位置に復帰させるための弾性エネルギーが蓄積される。
【００２７】
また、前記揺動アーム２５が前記待機位置にあるとき、前記吊り金具８も、最大限上昇した待機位置にあり、このとき前記フック８ｂは、前述したように、前記位置決め体９の底辺部１９の下面より上方位置を占める。
図６及び図７は、線の重なり具合を少なくして分かり易くするため、前記揺動アーム２５を、前記待機位置と吊支位置との間の中間回動位置に変位させたときの状態を示している。
なお、前記固定式の金具支持装置２１Ａに支持された前記吊り金具８は、固定式の吊り金具であるということができる。
【００２８】
一方、前記可動式の金具支持装置２１Ｂは、図９及び図１０に、揺動アーム２５を中間回動位置に変位させた状態にして示すように、左右の枠杆１１ａ，１１ｂに沿って移動自在且つ該枠杆１１ａ，１１ｂに対して着脱自在の可動ベース３０を有し、該可動ベース３０に、前記固定式の金具支持装置２１Ａと同様の軸受部材２３ａ，２３ｂ、アーム支持軸２４、前記揺動アーム２５、ばね２７、ばね止め２８、及びストッパ２９が設けられたもので、可動式であるということ以外は、前記固定式の金具支持装置２１Ａと実質的に同じ構成を有するものである。
【００２９】
前記可動ベース３０は、前記左右の枠杆１１ａ，１１ｂの縦壁部１１ｃの平らな外面に当接する垂直なベース本体部３０ａと、該ベース本体部３０ａの上端から前記吊り枠７の内側に向けて水平に延出し、前記枠杆１１ａ，１１ｂの上方のフランジ部１１ｄを跨ぐように位置するベース上片部３０ｂと、前記枠杆１１ａ，１１ｂの内面側で前記上片部３０ｂの端部から下向きに延出する螺子取付部３０ｃと、該螺子取付部３０ｃのねじ孔に螺着された固定用ボルト３１とを有している。
【００３０】
そして、前記固定用ボルト３１を緩めると、前記可動ベース３０が前記枠杆１１ａ，１１ｂに沿って移動自在となり、前記吊り金具８の位置を、ふとん篭２を形成する菱形金網の網目に合わせて調整することができ、調整した位置で前記固定用ボルト３１を締め込むと、該固定用ボルト３１の先端が前記枠杆１１ａ，１１ｂの縦壁部１１ｃの裏面に当接することにより、前記可動ベース３０がその位置に固定されるようになっている。
従って、前記可動式の金具支持装置２１Ｂに支持された前記吊り金具８は、可動式の吊り金具であるということができる。
【００３１】
図示した実施形態では、前記前枠杆１０ａ及び後枠杆１０ｂにそれぞれ６個の吊り金具８が固定式の金具支持装置２１Ａを介して等間隔で取り付けられ、左枠杆１１ａ及び右枠杆１１ｂにそれぞれ２個の吊り金具８が可動式の金具支持装置２１Ｂを介して取り付けられているが、前記吊り金具８の数は、ふとん篭２の大きさに応じて適宜増減することができる。
【００３２】
前記構成を有する吊り上げ装置１Ａで、石詰めされたふとん篭２を吊り上げるときは、図１１に示すように、前記吊り枠７の４隅に設けられた掛け金具１５に吊り線条１７の下端のフックが掛けられ、この吊り線条１７により前記吊り枠７がパワーショベル等の重機で吊り上げられ、前記ふとん篭２の真上の位置まで移動される。このとき、前記揺動アーム２５及び吊り金具８は、前記ばね２７で上向きに付勢されることによって図５の待機位置を占めているため、前記吊り金具８のフック８ｂは、前記位置決め体９の底辺部１９より上方の位置にある。
なお、前記掛け金具１５を省略して、前記金具取付部材１４の係止孔に前記吊り線条１７の下端のフックを直接掛けても良い。
【００３３】
次に、前記吊り枠７を下降させると、図１２に示すように、該吊り枠７は、前記位置決め体９の底辺部１９がふとん篭２の上面に当接する位置まで下降し、その位置に停止することにより、前記ふとん篭２との間に一定の間隔が保たれるように位置決めされる。このとき、前記吊り金具８のフック８ｂは、前記ふとん篭２より上方位置にあるため、該ふとん篭２にまだ係止しない。
そこで、図１３に示すように、前記待機位置にある吊り金具８を、作業者がばね力に抗して中間位置まで引き下げ、該吊り金具８の下端のフック８ｂを前記ふとん篭２に係止させる。一旦該フック８ｂがふとん篭２に係止された前記吊り金具８は、前記中間位置においてばね力で上向きに付勢された状態になるので、そのまま係止状体を維持し、該ふとん篭２から不意に外れることはない。
【００３４】
なお、前記フック８ｂをふとん篭２に係止させる位置は、菱形金網を形成する列線６の折曲部６ａ同士が相互に係止し合う位置や、ふとん篭２の上端の枠線４と前記列線６の折曲部６ａとが係止し合う位置などが好ましい。
【００３５】
全ての吊り金具８のフック８ｂをふとん篭２に係止させたあと、図１４に示すように、吊り線条１７で前記吊り枠７を吊り上げることにより、前記吊り金具８を介して前記ふとん篭２を吊り上げ、車両の荷台やその他の保管場所など、目的の場所まで移送する。このとき、前記揺動アーム２５は、前記金具本体８ａに上下真っ直ぐに連なる吊支位置まで回動し、それに伴って前記ばね２７が捻られ、前記揺動アーム２５を待機位置に復帰させるための弾性エネルギーが蓄積される。
また、前記吊り枠７は、前記吊り金具８が前記吊支位置まで下降した分だけ前記ふとん篭２に対して上昇するため、前記位置決め体９の底辺部１９は前記ふとん篭２の上面から離れる。
【００３６】
目的の場所まで移送された前記ふとん篭２は、吊り上げる時と逆の工程を経て吊り上げ装置１Ａから解放される。
即ち、まず、前記ふとん篭２は、図１４に示す状態で、前記吊り枠７を徐々に下降させることによりその場所に降ろされる。そうすると、前記ふとん篭２は、車両の荷台や地面等に当接することによってその位置に停止するが、そのあとも前記吊り枠７はさらに下降し、図１３に示すように、前記位置決め体９の底辺部１９がふとん篭２の上面に当接する位置で停止する。このとき前記揺動アーム２５は、ばね２７のばね力で前記中間位置まで上昇し、その位置で上向きに弾力的に付勢された状態になっているため、吊り金具８のフック８ｂがふとん篭２から外れることはない。
【００３７】
そこで、作業者が前記吊り金具８をばね力に抗して若干引き下げ、下端のフック８ｂを前記ふとん篭２から外す。そうすると、図１２に示すように、前記揺動アーム２５は前記ばね力によって前記待機位置まで上昇し、それに伴って前記吊り金具８のフック８ｂも、前記位置決め体９の底辺部１９より上方位置即ちふとん篭２の上面より上方位置まで上昇するため、それを再び引き下げてふとん篭２に係止させない限り、該フック８ｂが不意にふとん篭２に係止することはない。
【００３８】
全ての吊り金具８のフック８ｂがふとん篭２から外されたあと、図１１に示すように、前記吊り枠７は重機で持ち上げられ、石詰め現場に戻されて同様の作業が繰り返される。
【００３９】
図示した実施形態では、前枠杆１０ａ及び後枠杆１０ｂに固定式の吊り金具８が設けられ、左枠杆１１ａ及び右枠杆１１ｂに可動式の吊り金具８が設けられているが、それとは逆に、前枠杆１０ａ及び後枠杆１０ｂに可動式の吊り金具８を設け、左枠杆１１ａ及び右枠杆１１ｂに固定式の吊り金具８を設けて良い。あるいは、固定式の吊り金具８と可動式の吊り金具８とを交互に配置すると言ったように、両者を混在させても良く、全ての吊り金具８を固定式又は可動式にすることもできる。
【００４０】
また、前記吊り枠７の前後の枠杆１０ａ，１０ｂ及び左右の枠杆１１ａ，１１ｂは、少なくとも前後の枠杆１０ａ，１０ｂ又は左右の枠杆１１ａ，１１ｂを伸縮可能なるように構成することにより、ふとん篭２の短径ｍ及び長径ｎに合わせて前記短径Ｍ及び長径Ｎのうち少なくとも一方を調整可能とすることもできる。あるいは、前後の枠杆１０ａ，１０ｂと左右の枠杆１１ａ，１１ｂとを、溶接で一定の位置関係に固定する代わりに、スライド式に相互の位置を調整可能とし、調整した位置でボルト・ナット等の固定手段で固定するように構成することにより、前記短径Ｍ又は長径Ｎのうち少なくとも一方を調整可能とすることもできる。
【００４１】
更に、前記金具支持装置２１Ａ，２１Ｂは、前記揺動アーム２５が第１軸受部材２３ａ側に偏奇した位置に配設されると共に、該揺動アーム２５と第２軸受部材２３ｂとの間に前記ばね２７が配設されているため、図１に示すように、前枠杆１０ａと後枠杆１０ｂとに設けられた吊り金具８の位置関係、及び、左枠杆１１ａと右枠杆１１ｂと設けられた吊り金具８の位置関係が、互いに左右逆になっているが、前後の枠杆１０ａ，１０ｂの何れか一方、及び、左右の枠杆１１ａ，１１ｂの何れか一方に取り付けられる前記金具支持装置２１Ａ，２１Ｂにおいて、前記揺動アーム２５を第２軸受部材２３ｂ側に偏奇した位置に配設すると共に、該揺動アーム２５と第１軸受部材２３ａとの間に前記ばね２７を配設することにより、前記吊り金具８を、左右同じ側に配置することができる。
【００４２】
あるいは、前後の枠杆１０ａ，１０ｂ及び左右の枠杆１１ａ，１１ｂにおいて、長さ方向の一半部側に配設されている吊り金具８と他半部側に配設されている吊り金具８とを、互いに左右逆の位置関係に配置することにより、該吊り金具８を、前記前後の枠杆１０ａ，１０ｂ及び左右の枠杆１１ａ，１１ｂの長さ方向の中央に対して左右対称に配設することもできる。
【００４３】
また、前記金具支持装置２１Ａ，２１Ｂの構成は、前述したようなものに限らず、前記吊り金具８を、前記揺動アーム２５の代わりに、鉛直方向に上下動自在の軸やその他の金具からなる支持部材に支持させ、この支持部材を適宜のばねで上向きに付勢した構成にしても良い。
【００４４】
図１６は本発明に係る吊り上げ装置の第２実施形態を示すもので、この第２実施形態の吊り上げ装置１Ｂが前記第１実施形態の吊り上げ装置１Ａと相違する点は、左右の枠杆が複数対設けられている点である。図示した例では左右の枠杆が二対設けられていて、そのうち一対は、前後の枠杆１０ａ，１０ｂの両端部近くに配設された外側の第１左枠杆１１ａ１及び第１右枠杆１１ｂ１であり、他の一対は、前記第１左枠杆１１ａ１及び第１右枠杆１１ｂ１の内側に配設された第２左枠杆１１ａ２及び第２右枠杆１１ｂ２である。そして、該第２左枠杆１１ａ２と第２右枠杆１１ｂ２との間の位置に、２つの位置決め体９が配設されている。従って、当然のことながら、外側に位置する前記第１左枠杆１１ａ１と第１右枠杆１１ｂ１との間隔は、内側に位置する前記第２左枠杆１１ａ２と第２右枠杆１１ｂ２との間隔より大きい。
【００４５】
前記第１左枠杆１１ａ１及び第１右枠杆１１ｂ１には、それぞれ、可動式の金具支持装置２１Ｂに支持された複数の可動式の吊り金具８が取り付けられ、該吊り金具８は、可動ベース３０を前記第１左枠杆１１ａ１及び第１右枠杆１１ｂ１から取り外して前記第２左枠杆１１ａ２及び第２右枠杆１１ｂ２に取り付けることにより、該第２左枠杆１１ａ２及び第２右枠杆１１ｂ２にも取り付けるができるようになっている。従って、前記第１左枠杆１１ａ１及び第１右枠杆１１ｂ１と第２左枠杆１１ａ２及び第２右枠杆１１ｂ２とは、互いに同じ素材で同じ構成を有するように形成されたものである。
【００４６】
前記吊り上げ装置１Ｂは、大きさの異なるふとん篭に対応することができるもので、例えば、短径ｍが１２００ｍｍ、長径ｎが２０００ｍｍのふとん篭２を吊り上げるときは、図１６に実線で示すように、前記可動式の吊り金具８を、外側の前記第１左枠杆１１ａ１及び第１右枠杆１１ｂ１に取り付けた状態で使用し、短径ｍが１２００ｍｍ、長径ｎが１５００ｍｍのふとん篭２を吊り上げるときは、図１６に鎖線で示すように、前記可動式の吊り金具８を、内側の前記第２左枠杆１１ａ２及び第２右枠杆１１ｂ２に取り付けた状態で使用することができる。
しかし、前記可動式の吊り金具８は、前記第１左枠杆１１ａ１及び第１右枠杆１１ｂ１と、第２左枠杆１１ａ２及び第２右枠杆１１ｂ２との、両方に取り付けておいても良い。
【００４７】
また、前記第２左枠杆１１ａ２及び第２右枠杆１１ｂ２は、前記第１左枠杆１１ａ１及び第１右枠杆１１ｂ１と同様に前枠杆１０ａ及び後枠杆１０ｂに固定されていても良いが、該前枠杆１０ａ及び後枠杆１０ｂに沿って位置調整可能なるように構成されていても良く、そうすることより、より様々な寸法のふとん篭に対応することができる。例えば、前記第１左枠杆１１ａ１及び第１右枠杆１１ｂ１を、長径ｎが最大のふとん篭に合った位置に固定し、前記第２左枠杆１１ａ２及び第２右枠杆１１ｂ２を位置調整可能とすることにより、この第２左枠杆１１ａ２及び第２右枠杆１１ｂ２の位置調整によって、他の様々な長径ｎを持ったふとん篭に対応することができる。
【００４８】
しかし、前記第１左枠杆１１ａ１及び第１右枠杆１１ｂ１と第２左枠杆１１ａ２及び第２右枠杆１１ｂ２の両方を位置調整可能とすることもでき、また、前枠杆１０ａ及び後枠杆１０ｂを、前記第１左枠杆１１ａ１及び第１右枠杆１１ｂ１と第２左枠杆１１ａ２及び第２右枠杆１１ｂ２とに対して位置調整可能に連結することにより、該前枠杆１０ａ及び後枠杆１０ｂの間隔（短径Ｍ）を調整可能とすることもできる。
【００４９】
なお、この第２実施形態の吊り上げ装置１Ｂの前述したこと以外の構成及び変形例は、前記第１実施形態の吊り上げ装置１Ａの場合と実質的に同じであるため、それらの主要な同一構成部分に第１実施形態の吊り上げ装置１Ａに用いた符号と同じ符号を付してその説明は省略する。
【符号の説明】
【００５０】
１Ａ，１Ｂ      吊り上げ装置
２      ふとん篭
７      吊り枠
８      吊り金具
８ｂ      フック
９      位置決め体
１０ａ，１０ｂ，１１ａ，１１ｂ，１１ａ１，１１ｂ１，１１ａ２，１１ｂ２      枠杆
１９      底辺部
１９ａ      当接部
２０      側辺部
２３ａ      第１軸受部材
２３ｂ      第２軸受部材
２４      アーム支持軸
２５      揺動アーム
２７      ばね
３０      可動ベース
【図１】
2016079616.tif 000003
【図２】
2016079616.tif 000004
【図３】
2016079616.tif 000005
【図４】
2016079616.tif 000006
【図５】
2016079616.tif 000007
【図６】
2016079616.tif 000008
【図７】
2016079616.tif 000009
【図８】
2016079616.tif 000010
【図９】
2016079616.tif 000011
【図１０】
2016079616.tif 000012
【図１１】
2016079616.tif 000013
【図１２】
2016079616.tif 000014
【図１３】
2016079616.tif 000015
【図１４】
2016079616.tif 000016
【図１５】
2016079616.tif 000017
【図１６】
2016079616.tif 000018